(57)【特許請求の範囲】
【請求項１】
単数若しくは多数のグリップ対を備えた移動体を多数の工程に間欠停止して移動させ、各グリップ対により吊り下げ状に支持された包装袋に所定量の圧縮可能な被包装物を充填するように構成された包装機の充填装置において、
縦向きの間欠回転軸に取り付けた環状回転テーブルを駆動手段により前記包装機の移動体と同期して複数の工程を回転移動するように設け、その回転テーブルに各工程に対応させて配置した各々のガイドバーに、放出口を開閉自在に設けた漏斗を取り付けた下部スライドと、その漏斗内に投入される被包装物を押圧する押し棒を上下方向に移動自在とするアクチュエータが取り付けられた上部スライドを昇降可能に設け、前記間欠回転軸内に同心状に配置された中軸に取り付けた固定テーブルに、下部スライド用カムを下方に上部スライド用カムを上方に配置して縦向きの円筒カム形状に設け、前記下部スライドに設けたピンを下部スライド用カムのカム溝に、前記上部スライドに設けたピンを上部スライド用カムのカム溝に夫々係合可能に設け、被包装物の投入工程にて前記下部スライドをサーボモータ装置により昇降自在とする第１昇降手段と、充填工程より前の工程にて前記上部スライドをサーボモータ装置により昇降自在とする第２昇降手段と、充填工程にて前記上部スライドをサーボモータ装置により昇降自在とする第３昇降手段及び前記下部スライドをサーボモータ装置により昇降自在とする第４昇降手段とを前記固定テーブルに夫々設置してなり、
被包装物の投入工程にて第１昇降手段の作動により前記漏斗の上口を計量手段の排出口に近接するまで上昇させた状態で当該漏斗へ被包装物を投入し、
被包装物の投入工程の後工程から充填工程までの間に、前記漏斗内の被包装物を前記アクチュエータの作動により圧縮して嵩を小さくした状態とし、
充填工程にて間欠停止した包装袋の袋口に第３昇降手段と第４昇降手段の連係作用により前記漏斗の下端部を挿入すると同時に前記放出口を開放して小嵩にされた被包装物を前記押し棒により押し込んで充填するように設けたことを特徴とする包装機の充填装置。
【発明の詳細な説明】
【技術分野】
【０００１】
本発明は、軽くて舞い上がりやすい削り節等の被包装物を圧縮して小嵩にした状態で包装袋に自動的に充填する包装機の充填装置に関する。
【背景技術】
【０００２】
従来のガス充填式包装機における被包装物の圧縮充填方法の一例を図８に示す。この方法は、包装機のグリップ対（図示せず）により吊り下げ状に支持された包装袋ａの袋口ｂに、充填工程にて漏斗ｃの下端部を臨ませた状態で所定量の被包装物ｆを漏斗に投入し、ついで、押し棒ｄにより被包装物ｆを押し込みながら包装袋ａに充填を行っている。この圧縮充填方法による処理能力については、毎分１５〜１８袋である。
【０００３】
ところが、被包装物が削り節のように軽くて嵩のある性状の場合には、押し棒ｄにより押しながら充填し包装袋の中で削り節に含まれる空気を追い出すので、削り節が舞い上がって外へ飛び出してしまうとか、袋口の内面に付着することがある。また、被包装物が包装袋内に嵩高に収まった状態では、包装工程の後工程で包装袋にノズルを挿入して不活性ガスを注入する際に被包装物が舞い上がってしまい、ガス充填作業に支障を生じる。
【０００４】
本件出願人はかかる不具合の対処として、包装袋内に投入された削り節等の被包装物を押し棒により圧縮して小嵩にする押込み装置を開発している（実用新案登録第２５２０２６２号）。しかし、その押込み装置によっても押込み動作を速くした場合には、被包装物が舞い上がって落ち着きが悪くなるため押込み動作を余り速くすることはできなかった。
【特許文献１】実用新案登録第２５２０２６２号公報
【発明の開示】
【発明が解決しようとする課題】
【０００５】
本発明の目的は、被包装物を漏斗内で適時に圧縮して小嵩にした状態で包装袋に充填することにより、充填時の被包装物の舞い上がり現象を抑制し、充填作業の高速化を図る包装機の充填装置を提供することにある。
【課題を解決するための手段】
【０００６】
前記目的を達成するために請求項１に記載した発明は、単数若しくは多数のグリップ対を備えた移動体を多数の工程に間欠停止して移動させ、各グリップ対により吊り下げ状に支持された包装袋に所定量の圧縮可能な被包装物を充填するように構成された包装機の充填装置において、
縦向きの間欠回転軸に取り付けた環状回転テーブルを駆動手段により前記包装機の移動体と同期して複数の工程を回転移動するように設け、その回転テーブルに各工程に対応させて配置した各々のガイドバーに、放出口を開閉自在に設けた漏斗を取り付けた下部スライドと、その漏斗内に投入される被包装物を押圧する押し棒を上下方向に移動自在とするアクチュエータが取り付けられた上部スライドを昇降可能に設け、前記間欠回転軸内に同心状に配置された中軸に取り付けた固定テーブルに、下部スライド用カムを下方に上部スライド用カムを上方に配置して縦向きの円筒カム形状に設け、前記下部スライドに設けたピンを下部スライド用カムのカム溝に、前記上部スライドに設けたピンを上部スライド用カムのカム溝に夫々係合可能に設け、被包装物の投入工程にて前記下部スライドをサーボモータ装置により昇降自在とする第１昇降手段と、充填工程より前の工程にて前記上部スライドをサーボモータ装置により昇降自在とする第２昇降手段と、充填工程にて前記上部スライドをサーボモータ装置により昇降自在とする第３昇降手段及び前記下部スライドをサーボモータ装置により昇降自在とする第４昇降手段とを前記固定テーブルに夫々設置してなり、
被包装物の投入工程にて第１昇降手段の作動により前記漏斗の上口を計量手段の排出口に近接するまで上昇させた状態で当該漏斗へ被包装物を投入し、被包装物の投入工程の後工程から充填工程までの間に、前記漏斗内の被包装物を前記アクチュエータの作動により圧縮して嵩を小さくした状態とし、充填工程にて間欠停止した包装袋の袋口に第３昇降手段と第４昇降手段の連係作用により前記漏斗の下端部を挿入すると同時に前記放出口を開放して小嵩にされた被包装物を前記押し棒により押し込んで充填するように設けたことを特徴とする。
【発明の効果】
【０００７】
この包装機の充填装置によれば、被包装物の漏斗への投入動作と包装袋への充填動作とを異なる工程にて２段階に分けて行うと共に被包装物を漏斗内で移動・停止中の適時に圧縮して小嵩にした状態で包装袋に充填するので、包装能力が従来の毎分１５〜１８袋から毎分３０袋程度まで向上し、充填作業の高速化を図ることができる。さらに、被包装物の舞い上がり現象を可及的に抑制することができる。
【発明を実施するための最良の形態】
【０００８】
以下に、本発明の最良の形態例を図面に基づいて説明する。図１は本発明に係る充填装置を適用した包装機の平面図、図２は同、側面図、図３は充填装置の要部の説明図、図４は間欠回転軸部分を拡大して示す断面図、図５は下部スライド用カムと上部スライド用カムの展開図、図６は漏斗と押し棒との相対的位置関係を全工程に亘って表した説明図、図７は本発明に係る包装機の充填装置による充填作業の説明図である。
【０００９】
本発明に係る包装機の充填装置１０を適用したロータリー方式のガス充填式包装機Ｐを図１に示す。この包装機Ｐは、給袋工程（１）、賞味期限等の印字工程（２）、包装袋の開口工程（３）、削り節等の被包装物の充填工程（４）、押込み工程（５）、ノズル挿入及び袋口仮付けシール工程（６）、ガス置換・モミホグシ工程（７）〜（１２）、トップシール工程（１４）、シール部の冷却工程（１５）、製品取出し工程（１６）等の１６工程からなる。
なお、この実施例で取り扱う被包装物については、嵩が大きく軽くて舞い上がり易い性状の「削り節」である。
【００１０】
図２に示すように、この包装機Ｐの機台１上には、縦向きの間欠回転軸２を回転自由に支持したスタンド３を設けている。その間欠回転軸２に取り付けられた円盤状の回転体４には、給袋工程（１）にて給袋装置６から一枚ずつ供給される包装袋ａを掴着又は釈放するための（工程数と同数の）１６個のグリップ対ｇが等角度間隔で放射方向に突出するように設けられている。
【００１１】
なお、この実施の形態例では、本発明装置をロータリー方式の包装機Ｐに適用して説明するが、直線移動方式の包装機に適用することも可能である。
【００１２】
充填装置１０は、計量手段（図示せず）から被包装物（削り節）を漏斗へ投入する被包装物の投入工程（２１）、外部押し込み装置等を設置可能な工程（２２）、計量手段の不具合の場合、計量手段の被包装物を排出させる場合における系外排出工程（２３）、押込み工程（２４）、充填工程（２５）、アイドル工程（２６）〜（２８）の８工程からなる。
【００１３】
機台１上に設置されたスタンド１１には、軸受け１２ａ〜１２ｃを介して縦向きの中空の間欠回転軸１３を回転自由に設けている（図４）。その間欠回転軸１３のフランジ１３ａに取り付けられた環状回転テーブル１５は、インデックス装置とギアとにより構成される公知の図示しない駆動手段により前記回転体４と同期して複数の工程、ここでは８個の工程を間欠回転移動するように設けられている。１８は間欠回転軸１３の内部に同心状に配置された中軸である。その中軸１８の先端に取り付けられた固定テーブル１９は、間欠回転軸１３に軸受け１６ａ，１６ｂを介して相対的に回転可能に設けられた支持部材１７の上端面に固定されている。
【００１４】
図３に示すように、回転テーブル１５の外周縁には、各工程に対応させて一対のガイドバー２０を配置し、各々のガイドバー２０に、漏斗２３が取り付けられた下部スライド２２と、押し棒２７を上下方向に移動自在とするアクチュエータとしての空圧シリンダ２６が取り付けられた上部スライド２５とをセットにして昇降可能に設けている。各ガイドバー２０の上端は、リングプレート２１によってぐらつかないように連結されている。また、押し棒２７は、上記漏斗２３内に投入される削り節を押圧するために設けられており、その押し棒２７の下端にピン２９を先端に設けたほぼ円柱状のブロック２８が取り付けられている（図6）。
【００１５】
各漏斗２３の放出口２３ｂには、嘴状の一対の開閉片２４を設けている。詳しくは、その開閉片２４は、図示しないバネにより放出口２３ｂを閉じるように常に付勢されており、充填工程（２５）に配置されたアクチュエータ（図示せず）により一部を押圧されることにより開かれて放出口２３ｂを開放させるように設けられている。
【００１６】
図５に示すように、固定テーブル１９には、下部スライド用カム３１を下方に、上部スライド用カム３５を上方に配置して縦向きの円筒カム形状に設けている。下部スライド用カム３１については、上側カム板３２ａ，３３ａと下側カム板３２ｂ，３３ｂとを一定幅寸法のカム溝３４が形成されるように配置している。同様に、上部スライド用カム３５についても、上側カム板３６ａ，３７ａ，３８ａと下側カム板３６ｂ，３７ｂ，３８ｂとを一定幅寸法のカム溝３９が形成されるように配置している。そして、下部スライド２２の背面側に設けたピン２２ａ（又はカムフォロア）を下部スライド用カム３１のカム溝３４に、上部スライド２５に設けたピン２５ａ（又はカムフォロア）を上部スライド用カム３５のカム溝３９に夫々係合可能に設けている。
【００１７】
なお、投入工程（２１）と充填工程（２５）には、下部スライド用カム３１を設けない。また、系外排出工程（２３）と充填工程（２５）には、上部スライド用カム３５を設けない。
【００１８】
固定テーブル１９上には、被包装物の投入工程（２１）に下部スライド２２を昇降自在とする第１昇降手段を、充填工程より前の工程である系外排出工程（２３）に上部スライド２５を昇降自在とする第２昇降手段を、充填工程（２５）に上部スライド２５を昇降自在とする第３昇降手段４５及び下部スライド２２を昇降自在とする第４昇降手段６０を夫々設置している。
【００１９】
図３に示すように、第３昇降手段４５については、固定テーブル１９の外周縁に立設した一対のガイドバー４６にスライダ５０を摺動可能に装着し、そのスライダ５０の前面に突設された支持片５１によって前記上部スライド２５のピン２５ａを支承可能に設けている。ガイドバー４６の上端は、リングプレート４７に連結されている。
【００２０】
固定テーブル１９に設置されたフレーム５２には、プーリー５３，５４を上下に配置して垂直方向に回転自由に設けると共に一方のプーリー５３を駆動回転させるサーボモータ装置５７を設ける。それらプーリー５３，５４間に掛け渡されたタイミングベルト５５には、スライダ５０の後部５０ｂを取り付ける。しかして、サーボモータ装置５７によりプーリー５３を駆動回転させることによりスライダ５０が昇降自在に設けられる。
【００２１】
第４昇降手段６０については、上記ガイドバー４６にスライダ６１を摺動可能に装着し、そのスライダ６１の前面に突設された支持片６２によって前記下部スライド２２のピン２２ａを支承可能に設けている。上記フレーム５２には、プーリー６３，６４を上下に配置して垂直方向に回転自由に設けると共に一方のプーリー６３を駆動回転させるサーボモータ装置６７を設ける。それらプーリー６３，６４間に掛け渡されたタイミングベルト６５には、スライダ６１の後部６１ｂを取り付ける。しかして、サーボモータ装置６７によりプーリー６３を駆動回転させることによりスライダ６１を移動させて前記漏斗２３を昇降自在に設ける。
【００２２】
なお、第１昇降手段については、上述した第４昇降手段６０と同一構造とされているので、その構造の説明を省略する。図５に示す符号４１は、図示しないスライダの支持片である。また、第２昇降手段についても第３昇降手段４５と同一構造とされているので、その構造の説明を省略する。同様に、符号４３は図示しないスライダの支持片を示す。
【００２３】
下部スライド用カム３１のカム溝３４は、図５に示すように、ほぼ山形形状とされており、押込み工程（２４）で最も高い位置に形成されている。そして、押込み工程（２４）において、下部スライド用カム３１と下部スライド２２の連係作用により漏斗２３を上昇させることにより、漏斗２３内の被包装物を圧縮することができるように設けている。
以上により、本発明に係る包装機の充填装置１０が構成される。
【００２４】
つぎに、本発明に係る包装機の充填装置１０の作用について説明する。
（１）被包装物の投入工程（２１）において、第１昇降手段の作動により漏斗２３の上口２３ａを計量手段の排出口（図示せず）に近接するまで上昇させた状態で当該漏斗２３へ１００〜１５０ｇの被包装物たる削り節ｋを投入する（図７）。
（２）外部押し込み装置等を設置可能な工程（２２）から充填工程までの間における移動・停止中に、空圧シリンダ２６の作動により押し棒２７を複数回押し込むことにより、漏斗２３内の削り節ｋを圧縮して嵩を１／３〜１／５程度とする。なお、包装機Ｐの制御部よりｎ番目のグリップ対ｇに包装袋が掴着されていない旨の信号が圧縮充填装置１０の制御部に入力された場合等には、それに対応すべく投入工程（２１）で投入された削り節ｋを系外へ排出させる。
（３）充填工程（２５）において、包装機側の間欠停止した包装袋ａの袋口ｂに、第３昇降手段４５と第４昇降手段６０の連係作用により漏斗２３の下端部を挿入すると同時に開閉片２４を開放し、小嵩にされた削り節ｋを押し棒２７により押し込んで充填する。ついで、押し棒２７が１回押し込まれることにより、包装袋ａ内の削り節ｋは圧縮されて嵩が小さくなる。
（４）削り節ｋが包装袋ａに充填されると、押し棒２７、漏斗２３の順に元の待機位置まで上昇し、漏斗２３の開閉片２４，２４が閉じられる。
以後、上記（１）〜（４）の一連の作用が繰り返されることにより、充填工程（２５）に間欠的に送り込まれる包装袋ａに削り節ｋが順次充填される。
【００２５】
以上に述べた通り、この包装機の充填装置は、被包装物の漏斗への投入動作と包装袋への充填動作とを異なる工程にて２段階に分けて行うと共に被包装物を漏斗内で移動・停止中の適時に圧縮して小嵩にした状態で包装袋に充填するので、包装能力が従来の毎分１５〜１８袋から毎分３０袋程度まで向上する等の利点を有する。
【図面の簡単な説明】
【００２６】
【図１】本発明に係る充填装置を適用した包装機の平面図
【図２】同、側面図
【図３】充填装置の要部の説明図
【図４】間欠回転軸部分を拡大して示す断面図
【図５】下部スライド用カムと上部スライド用カムの展開図
【図６】漏斗と押し棒との相対的位置関係を全工程に亘って表した説明図
【図７】本発明に係る充填装置による充填作業の説明図
【図８】従来の被包装物の充填手段による充填作業の説明図
【符号の説明】
【００２７】
Ｐ・・・ガス充填式包装機
ｇ・・・グリップ対
ａ・・・包装袋  ｂ・・・袋口
ｋ・・・削り節（被包装物）
１０・・・本発明に係る包装機の充填装置
１３・・・間欠回転軸
１５・・・回転テーブル
１９・・・固定テーブル
２０・・・ガイドバー
２２・・・下部スライド
２３・・・漏斗
２５・・・上部スライド
２６・・・空圧シリンダ（アクチュエータ）
２７・・・押し棒
３１・・・下部スライド用カム
３４・・・カム溝
３５・・・上部スライド用カム
３９・・・カム溝
４５・・・第３昇降手段
５７・・・サーボモータ装置
６０・・・第４昇降手段
６７・・・サーボモータ装置
【図１】
0005044847.tif 000002
【図２】
0005044847.tif 000003
【図３】
0005044847.tif 000004
【図４】
0005044847.tif 000005
【図５】
0005044847.tif 000006
【図６】
0005044847.tif 000007
【図７】
0005044847.tif 000008
【図８】
0005044847.tif 000009